(57)【要約】 【課題】  従来のメカニカル方式の光スイッチに比べて信頼性が高く小型で、さらに低価格な光スイッチを提供すること。【解決手段】  ２つの側片部を有し、コイルが巻回されたコ字形磁心と、前記側片部の各々に対向可能でかつ揺動可能に支持された軟磁性の接極子２と、前記コ字形磁心および前記接極子に磁束を付加するように配置された永久磁石とからなる電磁駆動系１と、接極子２上に直接固定された光路変換手段である互いにほぼ直交する２つの反射面３２２および３２３を持つガラス板３と、前記光路変換手段に光を入射するための入射側光ファイバ１４と、前記光路変換手段により光路変換された光が結合される出射側光ファイバ１５および１６とを備えた光スイッチ。【選択図】  図１
2005215270.tif 000002
【特許請求の範囲】
【請求項１】
２つの側片部を有しコイルが巻回されたコ字形磁心、前記側片部の各々に対向可能でかつ揺動可能に支持された軟磁性の接極子、および前記接極子の付近に配置された永久磁石からなる電磁駆動系と、前記接極子上の前記側片部に対向する端部付近に直接固定された少なくとも１つの光路変換手段と、前記光路変換手段に光を入射するための入射側光ファイバを含む入射側光学系と、前記光路変換手段により光路変換された光が結合される出射側光ファイバを含む出射側光学系とを備える光スイッチにおいて、前記接極子における揺動運動は前記コ字形磁心の各側片部と前記接極子との間の磁気的吸引力により駆動され前記接極子の中央部付近を支点とする往復的な回転運動による揺動運動であり、前記光路変換手段は互いにほぼ直交しかつ前記接極子の揺動方向にほぼ平行な２つの反射面を有する透明体からなり、前記入射側光ファイバと前記出射側光ファイバの少なくとも一方は複数個であることを特徴とする光スイッチ。
【請求項２】
前記光路変換手段は、互いにほぼ直交しかつ前記接極子の揺動方向にほぼ平行な２つの反射面を有する透明体２個からなることを特徴とする請求項１記載の光スイッチ。
【請求項３】
前記光路変換手段は、前記接極子上の前記２つの側片部に対向する両方の端部付近にそれぞれ設置されていることを特徴とする請求項１または２に記載の光スイッチ。
【請求項４】
前記永久磁石の一方の磁極となる一端が前記コ字形磁心の中央付近の内側に位置して、他方の磁極となる一端が前記接極子の揺動運動の支点の付近になるように配置されたことを特徴とする請求項１ないし３のいずれかに記載の光スイッチ。
【請求項５】
前記永久磁石は、両端が同極の磁極となり、中央部が他の磁極となる複合的な永久磁石であり、前記コ字形磁心の両端の側片部間に嵌挿されたことを特徴とする請求項１ないし３のいずれかに記載の光スイッチ。
【請求項６】
前記永久磁石のＮ極またはＳ極のいずれかが、前記接極子に接触して固定され、前記接極子とともに揺動することを特徴とする請求項１ないし３のいずれかに記載の光スイッチ。
【請求項７】
前記コ字形磁心および永久磁石を一体的に保持する固定側絶縁体基台と、前記接極子を保持する可動側絶縁体とを有し、前記固定側絶縁体基台の一体成形により前記コ字形磁心および永久磁石が固定され、かつ前記コ字形磁心の一部に前記永久磁石を接触させた状態を保持して固定されたことを特徴とする請求項４または５に記載の光スイッチ。
【請求項８】
前記接極子における揺動運動に付勢力または減勢力を加えながら前記接極子を支持するヒンジばね部と、前記接極子における揺動運動に連動する可動ばね部とを備えたことを特徴とする請求項４ないし７のいずれかに記載の光スイッチ。
【発明の詳細な説明】
【技術分野】
【０００１】
本発明は光通信システム等に用いる光スイッチに関し、特に光路の切り替えを行うのに好適な光スイッチに関する。
【背景技術】
【０００２】
光スイッチには石英光導波路やニオブ酸リチウム結晶光導波路を使った導波路形光スイッチや光ファイバ、プリズムなどを機械的に移動させるメカニカル方式の光スイッチがある。
【０００３】
導波路形光スイッチは光導波路上に設置した薄膜ヒーターに電流を流したり、電気光学効果を利用して電極に電圧を加えることによって光導波路の一部の屈折率を変化させることによってスイッチングを行う。このため可動部がなく信頼性が高いことが利点であるが、一般的に高価であり損失が大きいという欠点があるため、現在実際に使用されているものはメカニカル方式の光スイッチの方が圧倒的に多い。この方式の光スイッチに関する特許文献は多数にわたるが、特許文献１にはその一例が開示されている。
【０００４】
メカニカル方式の光スイッチは導波路形光スイッチに比べると低価格であり損失が小さいが、可動部があるため信頼性が低いという問題がある。また、最近は光通信ネットワークが都市内の様々な領域に張り巡らされ、その信号経路の制御を柔軟に行う機能を実現させるために光スイッチが必要となっており、さらに低価格で信頼性の高い小型の光スイッチが要求されている。
【０００５】
【特許文献１】特開２００３−１６１８９９号公報
【発明の開示】
【発明が解決しようとする課題】
【０００６】
上記の状況にあって本発明の課題は従来のメカニカル方式の光スイッチに比べて信頼性が高く小型で、さらに低価格な光スイッチを提供することにある。
【課題を解決するための手段】
【０００７】
本発明の光スイッチは、上記課題を解決するため、２つの側片部を有しコイルが巻回されたコ字形磁心、前記側片部の各々に対向可能でかつ揺動可能に支持された軟磁性の接極子、および前記接極子の付近に配置された永久磁石からなる電磁駆動系と、前記接極子上の前記側片部に対向する端部付近に直接固定された少なくとも１つの光路変換手段と、前記光路変換手段に光を入射するための入射側光ファイバを含む入射側光学系と、前記光路変換手段により光路変換された光が結合される出射側光ファイバを含む出射側光学系とを備える光スイッチにおいて、前記接極子における揺動運動は前記コ字形磁心の各側片部と前記接極子との間の磁気的吸引力により駆動され前記接極子の中央部付近を支点とする往復的な回転運動による揺動運動であり、前記光路変換手段は互いにほぼ直交しかつ前記接極子の揺動方向にほぼ平行な２つの反射面を有する透明体からなり、前記入射側光ファイバと前記出射側光ファイバの少なくとも一方は複数個である構成とする。
【０００８】
前記光路変換手段は、互いにほぼ直交しかつ前記接極子の揺動方向にほぼ平行な２つの反射面を有する透明体２個からなってもよい。
【０００９】
前記光路変換手段は、前記接極子上の前記２つの側片部に対向する両方の端部付近にそれぞれ設置されてもよい。
【００１０】
前記永久磁石の一方の磁極となる一端が前記コ字形磁心の中央付近の内側に位置して、他方の磁極となる一端が前記接極子の揺動運動の支点の付近になるように配置されてもよい。
【００１１】
前記永久磁石は、両端が同極の磁極となり、中央部が他の磁極となる複合的な永久磁石であり、前記コ字形磁心の両端の側片部間に嵌挿されてもよい。
【００１２】
前記永久磁石のＮ極またはＳ極のいずれかが、前記接極子に接触して固定され、前記接極子とともに揺動するようにしてもよい。
【００１３】
前記コ字形磁心および永久磁石を一体的に保持する固定側絶縁体基台と、前記接極子を保持する可動側絶縁体とを有し、前記固定側絶縁体基台の一体成形により前記コ字形磁心および永久磁石が固定され、かつ前記コ字形磁心の一部に前記永久磁石を接触させた状態を保持して固定されるとよい。
【００１４】
前記接極子における揺動運動に付勢力または減勢力を加えながら前記接極子を支持するヒンジばね部と、前記接極子における揺動運動に連動する可動ばね部とを備えるとよい。
【発明の効果】
【００１５】
本発明によれば、従来の電磁継電器の電磁駆動系構造と簡単な光学部品を組み合わせることにより従来のメカニカル方式の光スイッチに比べて信頼性が高く、また安価で小型の光スイッチを得ることができる。   
【発明を実施するための最良の形態】
【００１６】
次に、本発明の実施形態を図１〜図６に従って説明する。
【００１７】
図１は本発明による光スイッチの実施の形態１を示す斜視図であり、図１（ａ）、図１（ｂ）はそれぞれ光路を切り替えたときの状態を示す。図１に於いて、１は電磁駆動系であり、揺動可能に支持された接極子２、および電磁駆動系１に含まれるコイルに電流を流すための電極端子４が設置されている。また上記接極子２の一方の端部の上面には入出射面３２１および互いに直交する２つの反射面３２２、３２３を持つ透明なガラス板３がそれらの反射面３２２、３２３が前記接極子２の揺動方向とほぼ平行になり、入出射面３２１への入射角がほぼ０となり、かつ揺動方向に垂直な面内での反射面３２２への光の入射角が４５度程度となるように接着や半田固定などの方法により設置されている。ここでガラス板３の入出射面３２１には無反射コーティングが施されている。
【００１８】
そのガラス板３の入射側には入射側光ファイバ１４を含む入射光学系が設置され、出射側には出射光ファイバ１５、１６を含む出射光学系が設置されている。入射側光ファイバ１４からの出射光をガラス板３に導くためのレンズ１７、ガラス板３を透過した光またはガラス板３の上方を通過した光をそれぞれ出射側光ファイバ１５または１６に導くためのレンズ１８または１９がそれぞれ設置されている。なお、電磁駆動系１および光ファイバ１４、１５、１６やレンズ１７、１８、１９は図１には省略されている１つの筐体に接着、半田、溶接などにより固定されている。
【００１９】
図２は上記図１の光スイッチに使用する電磁駆動系の構成例１の原理動作を示す図である。図２において、コイル９が巻回されたコ字形鉄心２１の内側中央部に永久磁石２２が配置され、両端の側片部２１ａ、２１ｂのそれぞれに揺動運動を行う接極子２の両端部がそれぞれ対向するように配置され、また永久磁石２２の一端が前記接極子の揺動運動の支点となるように配置されている。
【００２０】
コイル９の無励磁状態を示す図２（ａ）では、永久磁石２２より生じる磁束φ１によって接極子２が一方の側片部２１ｂ側に吸引されている。
【００２１】
コイル励磁状態を示す図２（ｂ）においては、励磁によりコ字形鉄心２１に生じる磁束φ０が磁束φ１を打ち消し、かつ接極子２の他側片部２１ａにおける磁束φ２に加算されるため、接極子２は支点Ａを中心に揺動して他方（時計回り方向）に反転する。この状態では、コイル９の励磁を断っても図２（ｃ）に示すように、磁束φ２によって接極子２は側片部２１ａ側に吸引状態となる。
【００２２】
さらにこの状態を反転して図２（ａ）の状態に戻すにはコイルの電流方向を逆にすればよい。本電磁駆動系については特開昭６３−３０１４４１号公報に詳細な原理、構造が記載されている。
【００２３】
次に、図１により本実施の形態の光スイッチの動作を説明する。図１（ａ）は接極子２のガラス板３が設置された側と反対側の端部がコ字形鉄心に吸着された状態を示し、図１（ｂ）はガラス板３が設置された側が吸着された状態を示す。図１（ａ）において、入射側光ファイバ１４を出射した光６３はレンズ１７によってコリメートされガラス板３に入出射面３２１より入射する。ガラス板３に入射した光は反射面３２２で反射されて進行し反射面３２２と直交する反射面３２３により再び反射され入射方向と平行シフトして逆方向に出射され出射光６４となる。出射光６４はレンズ１８によって収束され出射側光ファイバ１５に入射する。
【００２４】
次に電極端子４からコイルに電流が印加され接極子２が反対方向に倒れた図１（ｂ）の状態では、ガラス板３が下側に移動し、入射側光ファイバ１４から出射した光６３はガラス板３の上方を通過し、出射側光ファイバ１６にレンズ１９を介して入射する。さらに元の図１（ａ）の状態に戻すには電極端子４に逆方向の電流を印加すればよい。
【００２５】
以上のように電極端子４への電流の印加により出力ポートを切り替えることができた。ここでガラス板３の形状、位置および光ビーム径は接極子２の移動距離（通常０．３〜０．６ｍｍ）を考慮し、図１（ａ）の状態では入射した光６３のほとんどのエネルギーがガラス板３中を通過し、図１（ｂ）の状態では光のほとんどのエネルギーがガラス板３の外側を通過するように設定されている。
【００２６】
本実施の形態において使用する図２の構造の電磁駆動系は従来の電磁継電器に使用されているものと同じ構造、原理であり、既に数年以上にわたり実用されており高い信頼性が確立されている。また安価な製造方法も確立されている。他に使用する光学系部品も従来の光デバイスに汎用されているものであり本実施の形態の光スイッチは安価に製造することができる。また、ガラス板を直接接極子上に固定しているので小型化が図れる。
【００２７】
なお、本発明の出願人が先に提出した特願２００２−２４８０１２号の明細書の実施の形態には光路変換手段としてミラーを使用し、本発明と同様な電磁駆動系を使用した光スイッチが示されているが、このようなミラーを使用する場合は、光スイッチの繰り返し動作を行う場合、ミラーで反射されるように設定される各状態で電磁駆動系の接極子の角度が変動した場合にはミラーの反射光の出射角度が接極子の角度の２倍変動し、その結果、光ファイバの前に設置されたレンズヘの入射角が変動する。このレンズヘの入射角の変化は光ファイバ端面の収束点での位置変化に変換され、光ファイバヘの結合効率が変動し、その結果損失の変動をもたらす。すなわち電磁駆動系の変動、安定性の影響が現れやすい。一方、本実施の形態のようなガラス板を通過させて光ビームをシフトさせる場合は、接極子の角度が変動した場合は出射光の角度は変動せず、シフトする量が変化することになる。レンズヘの入射位置が変化しても入射方向が同じであれば光ファイバ端面の収束点は変化しないので光ファイバヘの結合効率の変化は小さい。すなわち本実施の形態は上述のミラーを使用する場合に比べて電磁駆動系の変動の影響が小さいという特長を有する。
【００２８】
図３（ａ）、図３（ｂ）、図３（ｃ）は、本発明に使用することができる電磁駆動系の構成例２の原理動作を示す図である。図３において、コイル２９が巻回されたコ字形鉄心３１の両端の側片部間に中央がＮ極、両端がＳ極となっている永久磁石３２が嵌挿され、両端の側片部３１ａ、３１ｂのそれぞれに揺動運動を行う接極子３０の両端部がそれぞれ対向するように配置されている。また、前記接極子３０の中央には揺動運動の支点となる突起が設けられ、それが永久磁石３２の中央に接するように配置されている。コイル２９の無励磁状態を示す図３（ａ）では、永久磁石３２より生じる磁束φ１によって接極子３０が一方の側片部３１ｂ側に吸引されている。コイル励磁状態を示す図３（ｂ）においては、励磁によりコ字形鉄心３１に生じる磁束φ０が磁束φ１を打ち消し、かつ接極子３０の他側片部３１ａにおける磁束φ２に加算されるため、接極子３０は支点Ａを中心に揺動して他方（時計方向）に反転する。この状態では、コイル２９の励磁を断っても図３（ｃ）に示すように、磁束φ２によって接極子３０は側片部３１ａ側に吸引状態となる。さらに、この状態を反転して図３（ａ）の状態に戻すにはコイルの電流方向を逆にすればよい。本電磁駆動系も従来の電磁継電器に使用されているものと同じ構造、原理であり、既に高い信頼性や安価な製造方法も確立されている。本電磁駆動系については特開２０００−３１１５６８公報に詳細な原理、構造が記載されている。
【００２９】
ここで、図２、図３の電磁駆動系の構造としてコ字形鉄心および永久磁石を一体的に保持する固定側絶縁体基台と、前記接極子を保持する可動側絶縁体とを前記コ字形鉄心の一部に前記永久磁石を接触させた状態を保持して一体成形により形成することにより、永久磁石とコ字形鉄心を接着剤で固定する必要がなくなるため、接着剤の硬化に必要な待機時間が不要になるという利点が生じる。また、一体形成により工程の簡素化が図られ、コ字形鉄心、永久磁石、電気端子間の位置精度を向上させることができる。
【００３０】
また、電磁継電器で用いられているように前記接極子の揺動運動を支持するヒンジばねと前記接極子の揺動運動に連動する可動ばねを設けることにより揺動運動に対して付加的な力が与えられ、切り替え動作するのに必要な消費電力を小さくすることができる。また、可動ばねの端部を電気接点として用いることによる揺動運動の固定された状態をチェックでき、切り替え状態の把握や動作の安定化を図ることができる。
【００３１】
図４（ａ）、図４（ｂ）、図４（ｃ）は本発明に使用することができる電磁駆動系の構成例３の原理動作を示す図である。図４において、コイル３９が巻回されたコ字形鉄心４１の両端の側片部４１ａ、４１ｂのそれぞれに両端が対向するように揺動運動を行う接極子４０が配置され、その内側中央部に接極子４０側がＮ極、反対側がＳ極となる永久磁石４２が設置されており、また永久磁石４２の中央部が前記接極子の揺動運動の支点となるように配置されている。また、前記永久磁石４２の下部中央には揺動運動の支点となる非磁性体の突起が設けられている。
【００３２】
コイル３９の無励磁状態を示す図４（ａ）では、永久磁石４２より生じる磁束φ１によって接極子４０が一方の側片部４１ｂ側に吸引されている。コイル励磁状態を示す図４（ｂ）においては、励磁によりコ字形鉄心４１に生じる磁束φ０が磁束φ１を打ち消し、かつ接極子４０の他側片部４１ａにおける磁束φ２に加算されるため、接極子４０は支点Ａを中心に揺動して他方（時計方向）に反転する。この状態では、コイル３９の励磁を断っても図４（ｃ）に示すように、磁束φ２によって接極子４０は側片部４１ａ側に吸引状態となる。さらにこの状態を反転して図４（ａ）の状態に戻すにはコイルの電流方向を逆にすればよい。本電磁駆動系も従来の電磁継電器に使用されているものと同じ構造、原理であり、既に高い信頼性や安価な製造方法も確立されている。
【００３３】
図５は、本発明による光スイッチの実施の形態２を示す斜視図である。図５において、７１は電磁駆動系であり、揺動可能に支持された接極子７２、および電磁駆動系７１に含まれるコイルに電流を流すための電極端子４４が設置されている。また、接極子７２の一方の端部の上面には接極子７２の揺動方向に平行でかつ互いに直交する反射面５２および５３を持つ実施の形態１のガラス板３と同様の形状のガラス板５４と、接極子７２の揺動方向に平行でかつ互いに直交する反射面５５および５６を持つ同じく実施の形態１のガラス板３と同様の形状のガラス板５７とが互いに対称な向きに設置されている。
【００３４】
そのガラス板５４および５７のそれぞれの入射側には入射側光ファイバ７４および７５、出射側には出射側光ファイバ７６および７７がそれぞれ設置されている。入射側光ファイバ７４および７５からの出射光をそれぞれガラス板５４および５７の入出射面５８および５９にそれぞれ導くためのレンズ７８および７９、ガラス板５４および５７を透過した光をそれぞれ出射側光ファイバ７６および７７に導くためのレンズ８０および８１がそれぞれ設置されている。なお、電磁駆動系７１および光ファイバ７４、７５、７６、７７やレンズ７８、７９、８０、８１は、図５では省略されている１つの筐体に接着、半田、溶接などにより固定されている。
【００３５】
図５は接極子７２のガラス板５４、５７が設置された側と反対側の端部がコ字形鉄心に吸着された状態を示し、ガラス板５４、５７が設置された側が吸着された状態は省略されている。
【００３６】
図５において、入射側光ファイバ７４を出射した光９１はレンズ７８によってコリメートされガラス板５４に入出射面５８より入射する。ガラス板５４に入射した光は反射面５２で反射されて進行し反射面５２と直交する他の反射面５３により再び反射され入射方向と平行シフトして逆方向に出射され出射光９５となる。出射光９５はレンズ８０によって収束され出射側光ファイバ７６に入射する。同様に入射側光ファイバ７５を出射した光はレンズ７９によってコリメートされガラス板５７に入出射面５９より入射する。ガラス板５７に入射した光は反射面５５で反射されて進行し反射面５５と直交する他の反射面５６により再び反射され入射方向と平行シフトして逆方向に出射され出射光９６となる。出射光９６はレンズ８１によって収束され出射側光ファイバ７７に入射する。
【００３７】
ここでガラス板５４およびガラス板５７の設置位置は、電極端子４４からコイルに電流が印加され接極子７２が反対方向に倒れた状態で、ガラス板５４、５７が下側に移動したとき、入射側光ファイバ７４から出射した光がガラス板５４、５７の上方を通過し、出射光９６の光路と一致するように設定される。
【００３８】
上記のように、本実施の形態においては、接極子７２が図５の状態では光ファイバ７４と７６、光ファイバ７５と７７がそれぞれ結合され、接極子が反転したときには光ファイバ７４と７７が結合される擬似的な２×２スイッチの動作が可能となる。このような擬似的な２×２スイッチは光ネットワークにおいて、光アド／ドロップ装置の鍵となるデバイスである。すなわち、通常の状態では光ファイバ７４の信号が光ファイバ７７に直接伝送されており、信号の取り出しまたは入れ替えが必要なときには光スイッチを切り替えることにより光ファイバ７４の信号が光ファイバ７６に取り出され、同時に光ファイバ７５の信号が光ファイバ７７へ伝送される。
【００３９】
また、本実施の形態においては、光ファイバ７４と光ファイバ７７が結合される光スイッチ状態になったとき、光ファイバ７５の入射光が洩れて光ファイバ７６に直接結合するのを防ぐため、光ファイバ７５と７６を結ぶ光路中、例えばガラス板５４または５７上に光を遮蔽する物質を設置してもよい。
【００４０】
図６は、本発明による光スイッチの実施の形態３を示す斜視図である。図６において、１０１は電磁駆動系であり、揺動可能に支持された接極子８２、および電磁駆動系１０１に含まれるコイルに電流を流すための電極端子４６が設置されている。また、接極子８２の両方の端部の上面には接極子８２の揺動方向に平行でかつ互いに直交する２つの反射面を持つ実施の形態１のガラス板３と同様の形状のガラス板８３およびが８４が設置されている。このガラス板８３および８４の形状、光入射方向に対する角度は図１の実施の形態のガラス板３と同じに設定されている。
【００４１】
そのガラス板８３の入射側には入射側光ファイバ８５、出射側には出射光ファイバ８６および８７が設置され、ガラス板８４の入射側には入射側光ファイバ８８、出射側には出射光ファイバ８９および９０が設置されている。また、入射側光ファイバ８５および８８からの出射光をそれぞれガラス板８３および８４に導くためのレンズ１０２および１０５、ガラス板８３を透過した光およびガラス板８３の上方を通過した光をそれぞれ出射側光ファイバ８６および８７に導くためのレンズ１０３および１０４、ガラス板８４を透過した光およびガラス板８４の上方を通過した光をそれぞれ出射側光ファイバ８９および９０に導くためのレンズ１０６および１０７がそれぞれ設置されている。なお、電磁駆動系１０１および光ファイバ８５、８６、８７、８８、８９、９０やレンズ１０２、１０３、１０４、１０５、１０６、１０７は、図７では省略されている１つの筐体に接着、半田、溶接などにより固定されている。
【００４２】
図６は、接極子８２のガラス板８４が設置された側の端部がコ字形鉄心に吸着された状態を示し、ガラス板８３が設置された側が吸着された状態は省略されている。図６において、入射側光ファイバ８５を出射した光はレンズ１０２によってコリメートされてガラス板８３に入射し、ガラス板８３に入射した光は２つの反射面で反射され入射方向と平行シフトして逆方向に出射されレンズ１０３によって収束され出射側光ファイバ８６に入射する。他方、入射側光ファイバ８８を出射した光はレンズ１０５によってコリメートされガラス板８４の上方を通過しレンズ１０７によって収束され出射側光ファイバ９０に入射する。
【００４３】
また、接極子が反転したときには、入射側光ファイバ８５を出射した光はレンズ１０２によってコリメートされガラス板８３の上方を通過しレンズ１０４によって収束され出射側光ファイバ８７に入射する。他方、入射側光ファイバ８８を出射した光はレンズ１０５によってコリメートされてガラス板８４に入射し、ガラス板８４に入射した光は２つの反射面で反射され入射方向と平行シフトして逆方向に出射されレンズ１０６によって収束され出射側光ファイバ８９に入射する。
【００４４】
上述のように、本実施の形態では２チャンネルの１×２光スイッチが実現された。独立の２個の光スイッチを使用する場合に比べ、低価格でかつ小型で実装面積の小さい２チャンネルの光スイッチが実現できる。
【図面の簡単な説明】
【００４５】
【図１】実施の形態１による光スイッチの斜視図。図１（ａ）および図１（ｂ）はそれぞれ光路の切り替えられた状態を示す斜視図。
【図２】本発明に使用される電磁駆動系の構成例１を示す原理構成図。図２（ａ）はコイルによる励磁がない場合を示し、図２（ｂ）はコイルによる励磁状態を示し、図２（ｃ）はコイルによる励磁がない他の状態を示す図。
【図３】本発明に使用される電磁駆動系の構成例２を示す原理構成因。図３（ａ）はコイルによる励磁がない場合を示し、図３（ｂ）はコイルによる励磁状態を示し、図３（ｃ）はコイルによる励磁がない他の状態を示す図。
【図４】本発明に使用される電磁駆動系の構成例３を示す原理構成図。図４（ａ）はコイルによる励磁がない場合を示し、図４（ｂ）はコイルによる励磁状態を示し、図４（ｃ）はコイルによる励磁がない他の状態を示す図。
【図５】実施の形態２による光スイッチの斜視図。
【図６】実施の形態３による光スイッチの斜視図。
【符号の説明】
【００４６】
１，７１，１０１    電磁駆動系
２，３０，４０，７２，８２    接極子
３，５４，５７，８３，８４    ガラス板
９，２９，３９    コイル
１４，７４，７５，８５，８８    入射側光ファイバ
１５，１６，７６，７７，８６，８７，８９，９０    出射側光ファイバ
１７，１８，１９，７８，７９，８０，８１，１０２，１０３，１０４，１０５，１０６，１０７    レンズ
２１，３１，４１    コ字形鉄心
２１ａ，２１ｂ，３１ａ，３１ｂ，４１ａ，４１ｂ    側片部
２２，３２，４２    永久磁石
４３    非磁性体の突起
４，４４，４６    電極端子
５２，５３，５５，５６，３２２，３２３    反射面
５８，５９，３２１    入出射面
６３，９１    光
６４，９５，９６    出射光
Ａ    支点
φ０，φ１，φ２    磁束
【図１】
2005215270.tif 000003
【図２】
2005215270.tif 000004
【図３】
2005215270.tif 000005
【図４】
2005215270.tif 000006
【図５】
2005215270.tif 000007
【図６】
2005215270.tif 000008